(57)【要約】【課題】めがねレンチを使用できない場合や使用に適さない場合でも、ボルト／ナットを確実に固定しておくことができる、供回り防止具を提供する。【解決手段】ボルト頭部５１を嵌合するための穴部１１を備えたソケット部１０と、穴部１１に嵌合されるボルト頭部５１の嵌合先端面を係止するべく穴部１１の反開口側に設けられた係止部材１５と、ソケット部１０の周面から穴部半径方向外方へ延設されたアーム部２０と、アーム部２０に設けられた磁石３０とを有する供回り防止具１。【選択図】      図１
2009034733.tif 000002
【特許請求の範囲】
【請求項１】
ボルト頭部又はナットを嵌合するための穴部を備えたソケット部と、
前記穴部に嵌合されるボルト頭部又はナットの嵌合先端面を係止するべく前記穴部の反開口側に設けられた係止部材と、
前記ソケット部の周面から穴部半径方向外方へ延設されたアーム部と、
前記アーム部及び／又は前記ソケット部に設けられた磁石と、
を有することを特徴とするボルト／ナットの供回り防止具。
【請求項２】
ボルト頭部又はナットを嵌合するための穴部を備えたソケット部と、
前記穴部に嵌合されるボルト頭部又はナットの嵌合先端面を係止するべく前記穴部の反開口側に設けられた係止部材と、
前記ソケット部の周面から穴部半径方向外方へ延設されたアーム部と、
前記アーム部及び／又は前記ソケット部に設けられた磁石と、
を有し、前記穴部に供回り防止対象のボルト頭部又はナットを嵌合した状態で対応するナット又はボルトを回転させることにより、前記アーム部を最寄りの障害物に当接させて係止する、ことを特徴とするボルト／ナットの供回り防止具。
【請求項３】
請求項１又は請求項２に於いて、
前記係止部材は前記穴部の底部である、
ことを特徴とするボルト／ナットの供回り防止具。
【請求項４】
請求項１〜請求項３の何れかに於いて、
前記アーム部は先端側が細くなる先細り形状を成し、
前記穴部の軸芯から前記アーム部の先端までの距離は、前記穴部に嵌合される六角ボルト頭部又は六角ナットの対角寸法の１．５倍〜３．０倍の範囲である、
ことを特徴とするボルト／ナットの供回り防止具。
【発明の詳細な説明】
【技術分野】
【０００１】
本発明は、ボルトやナットの供回り防止具に関する。例えば、送電用鉄塔のアングル材を締結しているボルト・ナットを緩める際、作業者から見て裏面側に隠れているボルト頭部を固定しておくのに特に適した供回り防止具に関する。
【背景技術】
【０００２】
ボルト−ナットを締結したり緩めたりするために、締結装置を用いて何れか一方を締めつけようとする／緩めようとすると、他方も一緒に回ってしまい、結果、締めつけできない／緩められないという、いわゆる供回りの問題が生ずる。
このため、従来は、供回りするボルトの頭部やナットにめがねレンチ等を嵌合し、その他端を適当な突出物に係止したり、適当な突出物が無い場合には作業者がめがねレンチ等の他端を保持する等して、供回りを防止することが行われている。
【０００３】
特開平１０−０４４０５１号公報（特許文献１）には、供回り防止手段が開示されている。この供回り防止手段は、一端部にボルト頭部嵌合用の係合孔を有するとともに他端部に吸盤方式のストッパを有するアーム材であり、一端の係合孔をボルト頭部に嵌合し、且つ、他端の吸盤を被締結部材表面に吸着させることで、供回りを防止している。
特開平０５−０５７６２９号公報（特許文献２）には、供回り防止手段を備えた締結装置が開示されている。この供回り防止手段は、締結装置のボルト／ナット締結用のソケット付近から延設した腕部を、被締結部材の縁から回り込ませて反対面側に張り出させ、その先端にてナット／ボルト頭部を固定することで、供回りを防止するものである。
【特許文献１】特開平１０−０４４０５１号公報
【特許文献２】特開平０５−０５７６２９号公報
【発明の開示】
【発明が解決しようとする課題】
【０００４】
ボルト頭部やナットにめがねレンチ等を嵌合してその他端を適当な突出物に係止する手法は、例えば、送電用鉄塔のアングル材のように、複数のボルト・ナットが近接して配置されているためにストロークの長いめがねレンチ等の使用の妨げとなるような場合には採用できない。ここで、めがねレンチ等では、柄の長さが力を高める作用を奏するため、ストロークが長いことは必須であるという事情がある。さらに、送電用鉄塔のアングル材の場合には、水平な平坦面が無いため安定的にめがねレンチ等を載置できず、高所からの落下の恐れもあるため、使用に適さないという問題もある。
ボルト頭部やナットにめがねレンチ等を嵌合してその他端を作業者が直接又は間接に保持する手法は、作業者に過度の負担がかかるという問題がある。特に、送電用鉄塔のような足場の悪い高所で重い締結装置や嵩張る締結装置を用いて作業する場合、締結作業とめがねレンチ等の保持とを一人で行うことは実質的に不可能であり余分な人員を要する。
特開平１０−０４４０５１号公報の供回り防止手段は吸盤方式のストッパによる固定であるため、大きな機械力で締結する／緩める場合には、確実に固定しておくことが困難である。特に、送電用鉄塔のアングル材のように、表面が粗く塗装が施されている被締結部材のボルト・ナットを緩める場合には、吸盤方式では心もとない。なお、仮に、固定する力を高めた場合には、作業完了後の除去に手間取るため、作業効率の悪化を招く。
特開平０５−０５７６２９号公報の供回り防止手段を備えた締結装置は、供回り防止手段としての腕部の形状・サイズが既定であるため用途が特殊な部材に限られる。即ち、被締結部材の形状・サイズが腕部に適合する特殊な部材には使用できるが、形状・サイズが異なる一般の被締結部材（例：送電用鉄塔のアングル材）には使用できない。
【０００５】
送電用鉄塔のアングル材等を締結しているボルト・ナットからナットを取り外す場合に於いて、ボルト頭部の外周をめがねレンチ等で固定して供回りを抑えつつ、ナットを締結装置で緩めると、ボルト頭部の先端がめがねレンチ等から突き出てガタつきはじめてしまい、結果、ナットを取り外すことが困難になり、作業性が悪化するという問題がある。
また、上記では、ナットを緩める場合について説明したが、或る種類のナットを用いる場合には、同様の問題（ボルト頭部の先端がめがねレンチ等から突き出てガタつきはじめるという問題）が、ナットを締めつける場合にも発生する。
【０００６】
本発明は上記の事情に鑑みたものであり、
（１）被締結部材が、例えば送電用鉄塔のアングル材の場合のように、めがねレンチ等を使用できない場合や使用に適さない場合でも、ボルト／ナットを確実に固定しておくことができ、且つ、作業完了後には容易に除去できる、ボルト／ナットの供回り防止具を提供することを目的とする。
また、
（２）例えば送電用鉄塔のアングル材に適用されたボルト・ナットを取り外す場合のように、足場の悪い高所で重い締結装置や嵩張る締結装置を用いて作業する場合でも、一人でボルト／ナットを確実に固定しておくことができ、且つ、作業完了後には容易に除去できる、ボルト／ナットの供回り防止具を提供することを目的とする。
また、
（３）例えば送電用鉄塔のアングル材を締結しているボルト・ナットからナットを取り外す場合や、或る種類のナットを締めつける場合等に於いて、供回りを抑えているボルト頭部が突き出てガタツキはじめるということがないようにすることを目的とする。
【課題を解決するための手段】
【０００７】
本発明の構成を、下記［１］〜［４］に記す。
［１］構成１：
ボルト頭部又はナットを嵌合するための穴部を備えたソケット部と、
前記穴部に嵌合されるボルト頭部又はナットの嵌合先端面を係止するべく前記穴部の反開口側に設けられた係止部材と、
前記ソケット部の周面から穴部半径方向外方へ延設されたアーム部と、
前記アーム部及び／又は前記ソケット部に設けられた磁石と、
を有することを特徴とするボルト／ナットの供回り防止具。
［２］構成２：
ボルト頭部又はナットを嵌合するための穴部を備えたソケット部と、
前記穴部に嵌合されるボルト頭部又はナットの嵌合先端面を係止するべく前記穴部の反開口側に設けられた係止部材と、
前記ソケット部の周面から穴部半径方向外方へ延設されたアーム部と、
前記アーム部及び／又は前記ソケット部に設けられた磁石と、
を有し、前記穴部に供回り防止対象のボルト頭部又はナットを嵌合した状態で対応するナット又はボルトを回転させることにより、前記アーム部を最寄りの障害物に当接させて係止する、ことを特徴とするボルト／ナットの供回り防止具。
［３］構成３：
構成１又は構成２に於いて、
前記係止部材は前記穴部の底部である、
ことを特徴とするボルト／ナットの供回り防止具。
［４］構成４：
構成１〜構成３の何れかに於いて、
前記アーム部は先端側が細くなる先細り形状を成し、
前記穴部の軸芯から前記アーム部の先端までの距離は、前記穴部に嵌合される六角ボルト頭部又は六角ナットの対角寸法の１．５倍〜３．０倍の範囲である、
ことを特徴とするボルト／ナットの供回り防止具。
【発明の効果】
【０００８】
構成１のボルト／ナットの供回り防止具は、ボルト頭部又はナットを嵌合するための穴部を備えたソケット部と、前記穴部に嵌合されるボルト頭部又はナットの嵌合先端面を係止するべく前記穴部の反開口側に設けられた係止部材と、前記ソケット部の周面から穴部半径方向外方へ延設されたアーム部と、前記アーム部及び／又は前記ソケット部に設けられた磁石とを有するため、例えば送電用鉄塔のアングル材の場合のように、めがねレンチ等を使用できない場合や使用に適さない場合でも、ボルト／ナットを確実に固定しておくことができ、且つ、作業完了後には容易に除去できる、ボルト／ナットの供回り防止具を提供することができる。また、例えば送電用鉄塔のアングル材に適用されたボルト・ナットを取り外す場合のように、足場の悪い高所で重い締結装置や嵩張る締結装置を用いて作業する場合でも、一人でボルト／ナットを確実に固定しておくことができ、且つ、作業完了後には容易に除去できる、ボルト／ナットの供回り防止具を提供することができる。また、例えば送電用鉄塔のアングル材を締結しているボルト・ナットからナットを取り外す場合や、或る種類のナットを締めつける場合等でも、供回りを抑えているボルト頭部の嵌合先端面が係止部材によって係止されるため、該ボルト頭部が突き出てガタツキはじめるということを確実に防止できる。
構成２のボルト／ナットの供回り防止具は前述の構成であるため、構成１のボルト／ナットの供回り防止具と同様の作用効果を奏する。
構成３のボルト／ナットの供回り防止具は、構成１又は構成２に於いて、前記係止部材は前記穴部の底部であるため、穴部を非貫通形状とすることで、別途の係止部材を設ける必要がなく、構成を簡易化できる効果がある。
構成４のボルト／ナットの供回り防止具は、構成１〜構成３の何れかに於いて、前記アーム部は先端側が細くなる先細り形状を成し、前記穴部の軸芯から前記アーム部の先端までの距離は、前記穴部に嵌合される六角ボルト頭部又は六角ナットの対角寸法の１．５倍〜３．０倍の範囲であるため、標準的なサイズの送電用鉄塔のアングル材を締結しているボルト・ナットからナットを取り外す際に、アーム部が最寄りの障害物に当接するまでの初期の供回り角を最小限にできる効果がある。
【発明を実施するための最良の形態】
【０００９】
以下、図面を参照して、本発明の実施の形態を説明する。
図１は実施の形態の供回り防止具１を示し、（ａ）は上面図、（ｂ）は正面図、（ｃ）は（ｂ）を図の右方から見た右側面図である。図２（ａ）と（ｂ）は送電用鉄塔の構成部材であるアングル材７と別材８（両者を合わせて被締結部材という）を締結しているボルト・ナットのボルト頭部５１に図１の供回り防止具１を適用した様子を示し、（ａ）は上面図、（ｂ）は（ａ）を図の右方から見た右側面図である。同様に、図２（ｃ）（ｄ）は送電用鉄塔の構成部材であるアングル材７ａと別材８ａを締結しているボルト・ナットのボルト頭部５１に図１の供回り防止具１を適用した様子を示し、（ｃ）は上面図、（ｄ）は（ｃ）を図の右方から見た右側面図である。アングル材７はアングル材７ａより幅広であるため、ボルト・ナットの配置もアングル材７が２列の入れ位置であるのに対し、アングル材７ａでは１列である。図３は、締結装置９を用いてナット６をボルト５から取り外す際に図１の供回り防止具１を用いる様子を示す説明図である。
【００１０】
図１に示すように、本実施の形態の供回り防止具１は、ソケット部１０と、係止部材１５と、アーム部２０と、磁石３０とを有する。
【００１１】
ソケット部１０は、供回り防止対象のボルト５（図２参照）の頭部５１（又はナット６でもよい）が嵌合される穴部１１を有する。穴部１１の内形状は、ボルト頭部５１に適合する形状である。即ち、ボルト頭部５１を過不足無く収容できるとともに、ボルト頭部５１を収容し且つ供回り防止具１を最寄りの障害物により係止した状態に於いてナット６を回転させてボルト５に回転力を付与したとしても該回転力に抗してボルト５を静止させ得る、形状である。図示の例では、六角ボルト頭部５１の外形状に略合致する六角形状であるが、これに限定されず、例えば、めがねレンチと同様に十二角形状（二重六角形状）としてもよい。要は、上記の回転力に抗して供回りを抑止できるように収容対象のボルト頭部５１（ナット６の供回りを防止する場合はナット６）の外形状に適合する形状であればよい。
【００１２】
係止部材１５は、穴部１１に嵌合されるボルト頭部５１の嵌合先端面（図２（ｂ）で左側の端面）が、ボルト・ナットの締結を解除する際や、或る種類のナットを締めつける際に、穴部１１の反開口側（図１（ｂ）で上側）から突き出てしまわないようにするための部材である。例えば、送電用鉄塔のアングル材７と別材８とを締結しているボルト・ナットを取り外すべくナット６に締結装置９（図３参照）のソケット９１を適用して両者の螺合を緩め始めると、ボルト５に対して軸方向に押す力（図３で左向きの力）が作用する。このため、そのままではボルト５の頭部５１が穴部１１の反開口側から突き出てしまうので、係止部材１５を設けておき、そのような突出を防止しているのである。なお、或る種類のナットを用いて締めつける際にも同様の問題が生ずるため、そのような場合にも、係止部材１５で対応することができる。
また、図示の例では、係止部材１５として穴部１１を覆う蓋体を用いているが、本発明はかかる構成に限定されない。例えば、穴部１１を有底の穴部として構成し、その底部をそのまま係止部材１５として兼用するように構成してもよい。
また、図示の例では、係止部材１５が穴部１１の反開口側を完全に塞いでいるが、このような構成に限定されず、一部のみを覆う構成でもよい。要は、ボルト頭部５１の上述の突出を止め得るものであればよい。
【００１３】
アーム部２０は、ソケット部１０の周面から半径方向外方（穴部１１の軸芯と直交する半径方向外方）へ延設されている。このアーム部２０は、供回り防止具１の回転を、或る角度で停止させるための部材である。即ち、ボルト５の頭部５１を穴部１１に嵌合した状態で、締結装置９を用いてナット６を回転（回転としては、締めつける方向の回転と、緩める方向の回転とがある）させたとき、ナット６から伝達される回転力によりボルト５が供回りしたとしても、その初期の回転を、或る角度で停止させるための部材である。例えば、図２（ａ）には、供回り防止具１のアーム部（２点鎖線）が、最寄りのボルト頭部５１に当接することにより、その回転が停止される様子が示されている。また、図２（ｃ）には、供回り防止具１のアーム部（２点鎖線）が、アングル材７ａの立設板に当接することにより、その回転が停止される様子が示されている。
【００１４】
アーム部２０の望ましい長さは、付近の他のボルト頭部５１の配置や、ボルト頭部５１からアングル材の立設板までの距離等によっても異なるが、例えば、標準的な送電用鉄塔で用いられているサイズのアングル材（図２（ａ）と（ｃ）の２種類；８〜９割程度が該当する）の場合、穴部１１の軸芯からアーム部２０の先端までの距離Ｓ１は、穴部１１に嵌合される六角ボルト頭部５１又は六角ナット６の対角寸法Ｓ２の１．５倍〜３．０倍の範囲、好ましくは１．６倍〜２．３倍の範囲、更に好ましくは１．７倍〜２．１倍の範囲である。１．５倍より短いと、付近の障害物に当接できなくなる。一方、３．０倍より長いと、長過ぎるためにセット時に邪魔になり、セット作業の効率が落ちるか、又は、場合によってはセットできなくなる。なお、対角寸法Ｓ２の３．０倍以下というストロークは、めがねレンチ等のように対象物に作用する力を強めることを目的とする道具からは、発想すること自体があり得ない長さである。
【００１５】
アーム部２０の形状は、図示の例では、基部２０１から先端部２０２へいくにしたがって徐々に細くなる先細り形状である。このような形状であるため、図２（ａ）の如く複数個のボルト頭部５１が入れ位置に配設されているような場合でも、それらの隙間にアーム部２０を位置決めすることが容易であり、このため、比較的容易に供回り防止具１を所望のボルト頭部５１にセットすることができる。
【００１６】
また、図示の例では、アーム部２０の厚さはソケット部１０の略半分であるが、この厚さは任意である。重量軽減の見地や、強度確保の見地から、適宜の厚さとすればよい。幅についても同様である。また、アーム部２０やソケット部１０の素材についても同様であり、それらの見地から良好な特性を得られる素材を適宜に採用してよい。
【００１７】
磁石３０は、供回り防止具１を被締結部材７に安定的に取り付けておくための部材である。磁石３０としては、ここでは、ネオジム磁石を用いているが、これに限定されず、所望の特性に応じて選択してよい。
また、磁石３０は、図示の例では、アーム部２０内に埋設されており、且つ、埋設部位は穴部１１の開口側の面（図１（ｂ）で下面）寄りであるが、これは、ソケット部１０に設けても良く、ソケット部１０とアーム部２０の両部位に設けても良い。
また、図示の例では、磁石面が穴部１１の開口側の面に直接露出されているが、必要な磁力を損なわない範囲で、磁石面を、例えばＳＵＳ板等で覆ってもよい。そのようにすると、磁石が被締結部材側に取り残されるといった不具合を防止できる。
【００１８】
なお、図示の例では、落下防止用の紐等を取り付けるためのリング等の他の部材については省略しているが、本発明の目的を損なわない範囲で、別の部材を取り付けて良いことはもちろんである。
また、上記では送電用鉄塔のアングル材に適用するボルト・ナットに即して説明しているが、本発明の供回り防止具の用途は、上記のような場合に限定されない。例えば、Ｈ型綱に適用されるボルト・ナットや、パイプ連結部のフランジに適用されるボルト・ナット等、同様の条件が成り立つ場合について用い得ることはもちろんである。
【図面の簡単な説明】
【００１９】
【図１】実施の形態の供回り防止具１を示し、（ａ）は上面図、（ｂ）は正面図、（ｃ）は（ｂ）を図の右方から見た右側面図である。
【図２】（ａ）と（ｂ）は送電用鉄塔の構成部材であるアングル材７と別材８（両者を合わせて被締結部材という）を締結しているボルト・ナットのボルト頭部５１に図１の供回り防止具１を適用した様子を示し、（ａ）は上面図、（ｂ）は（ａ）を図の右方から見た右側面図である。（ｃ）（ｄ）は送電用鉄塔の構成部材であるアングル材７ａと別材８ａを締結しているボルト・ナットのボルト頭部５１に図１の供回り防止具１を適用した様子を示し、（ｃ）は上面図、（ｄ）は（ｃ）を図の右方から見た右側面図である。
【図３】締結装置９を用いてナット６をボルト５から取り外す際に図１の供回り防止具１を用いる様子を示す説明図である。
【符号の説明】
【００２０】
１  供回り防止具
１０  ソケット部
１１  穴部
１５  係止部材
２０  アーム部
３０  磁石
５  ボルト
５１  ボルト頭部
５２  ボルト螺子部
６  ナット
７  アングル材（幅広）
７ａ  アングル材（幅狭）
８  別材
８ａ  別材
９  締結装置
９１  ソケット
【図１】
2009034733.tif 000003
【図２】
2009034733.tif 000004
【図３】
2009034733.tif 000005